(57)【特許請求の範囲】
【請求項１】
圧縮空気を貯蔵する蓄圧室と、円筒状のシリンダ内に上下動可能に設けられたピストンと、ピストンに取付けられ、シリンダ下方に位置する射出口内の止具を打込むドライバブレードと、シリンダ上方に位置し、ヘッドバルブ上室が大気に連通した時にシリンダ内と蓄圧室とを連通させ、ヘッドバルブ上室が蓄圧室に連通した時にシリンダ内と蓄圧室を遮断するヘッドバルブと、ヘッドバルブ上室と大気間を連通又は遮断することにより、ヘッドバルブを制御する外部から操作可能なトリガバルブと、蓄圧室内の圧縮空気が圧縮空気流入室内に流入された時に駆動されて釘を射出口内に送る釘送り手段と、止具を射出口内に順次供給する止具供給手段を備えた開閉操作可能なネイルガイドと、ネイルガイドの開状態を感知し、釘送り手段の圧縮空気流入室を大気に開放して釘送り手段を非駆動状態にするドアバルブと、射出口近傍に設けられ、釘送り手段の圧縮空気流入室内に流入された圧縮空気により駆動されて射出口内の止具を射出口下方に押出す押出しピストンとを有する打込機であって、
前記ドアバルブがネイルガイドの開状態を感知した際にヘッドバルブ上室と蓄圧室間を連通させると共に押出しピストンと蓄圧室との連通を遮断するオフ状態となり、起動バルブが操作されるまではオフ状態をロックする起動ピストンを設けたことを特徴とする打込機。
【請求項２】
前記蓄圧室内の圧力が低下した際にも起動ピストンがオフ状態となるようにしたことを特徴とする請求項１記載の打込機。
【発明の詳細な説明】
【０００１】
【発明の属する技術分野】
本発明は打込み動作前に射出口内の止具を射出口下方に押出して、止具下端部を射出口から突出させる押出しピストンを備えた打込機に関するものである。
【０００２】
【従来の技術】
従来の打込機の一例を図６、図７に示す。
図において、１は本体、３は円筒状のシリンダ、４はシリンダ３内に上下動可能に保持されたピストン、５はピストン４に一体に取付けられ、本体１下方に設けられた射出口１１内に位置する釘６を打込むドライバブレード、７は圧縮空気を貯蔵する蓄圧室９とシリンダ３内とを連通、遮断するヘッドバルブ、１６はドライバブレード５の打込み方向に往復動可能に設けられた押出しピストン、１７は後述するドアバルブ２２及びトリガバルブ２１を介して蓄圧室９と連通可能な押出しピストン上室、２１は下降時にはヘッドバルブ７上室と蓄圧室９とを連通させると共にドアバルブ２２を介して押出しピストン上室１７と蓄圧室９とを連通させ、上昇時にはヘッドバルブ７上室と蓄圧室９との連通を遮断すると共にヘッドバルブ７上室と大気とを連通させ、更にドアバルブ２２を介して押出しピストン上室１７と大気とを連通させるトリガバルブ、２２はネイルガイド３０の開閉状態を感知し、ネイルガイド３０が閉状態である時にはネイルガイド３０の一部と当接し上昇位置にあり、トリガバルブ２１と押出しピストン上室１７とを連通させ、開状態である時には下降位置にあり、押出しピストン上室１７とトリガバルブ２１との連通を遮断すると共に押出しピストン上室１７と大気とを連通させるドアバルブである。
【０００３】
図示しないトリガを操作しトリガバルブ２１を上昇させると、トリガバルブ２１を介してヘッドバルブ７上室と大気とが連通され、ヘッドバルブ７が蓄圧室９内の圧縮空気により上昇しシリンダ３内のピストン４上部に圧縮空気が流れ込みピストン４及びドライバブレード５がシリンダ３内を急激に下降し、ドライバブレード５下端が射出口１１内に位置している釘６を打込む。その後、トリガの操作を解除するとトリガバルブ２１は初期位置に復帰し、ヘッドバルブ７上室と蓄圧室９とが連通され、ヘッドバルブ７が下降しシリンダ３内と蓄圧室９との連通が遮断されてドライバブレード５が図示しない戻り機構により初期位置に復帰する。トリガバルブ２１が初期位置に復帰すると、トリガバルブ２１及びドアバルブ２２を介して押出しピストン上室１７と蓄圧室９とが連通し、押出しピストン上室１７に圧縮空気が流れ込む。押出しピストン上室１７に圧縮空気が流れ込むと、押出しピストン１６の内部に設けられた空気通路１６ｂを圧縮空気が通り、下部に設けられた押出し部１６ａが射出口１１内に突出され、その後押出しピストン１６が下降し、押出し部１６ａが射出口１１内の釘６を射出口１１先端側に押出す。押出された釘６は下端部が射出口１１先端から突出した状態で射出口１１内に保持される。
【０００４】
再度、トリガが操作されトリガバルブ２１が上昇すると、押出しピストン上室１７はドアバルブ２２及びトリガバルブ２１を介して大気と連通するため、押出しピストン１６及び押出し部１６ａは図示しないスプリング等の付勢手段によって初期位置に復帰する。
【０００５】
ドアバルブ２２はネイルガイド３０が閉状態の時にネイルガイド３０の一部と当接して上昇し、ネイルガイド３０が開状態の時には上方に設けられたスプリング２５によって下降し、トリガバルブ２１の状態にかかわらず押出しピストン上室１７と大気とを連通させる構造であるため、ネイルガイド３０が開状態となったならば押出しピストン１６は上昇位置に復帰する。
【０００６】
【発明が解決しようとする課題】
上記した従来の打込機は、トリガバルブ２１が初期位置にある時にはトリガバルブ２１及びドアバルブ２２を介して押出しピストン上室１７と蓄圧室９とが連通するようにしたので、打込み終了後にトリガの操作が解除されたならば押出しピストン１６が動作し射出口１１内の釘６が下方に押出され、打込み開始時に釘６下端を打込み位置に合わせた後で打込みを行うことができる、すなわち狙い打ちができるという効果を奏し得るものであるが、ネイルガイド３０を一度開き、再度ネイルガイド３０を閉じると、これと同時に押出しピストン１６が下降して射出口１１内の釘６を下方に押出してしまうという欠点があった。すなわち、ネイルガイド３０の開閉を行う連結釘の装填時には必ずこの現象が起きてしまっていた。
【０００７】
これは、ネイルガイド３０を開状態とすると、ドアバルブ２２がこれを感知して下降し、トリガバルブ２１と押出しピストン上室１７との連通を遮断すると共に押出しピストン上室１７と大気とを連通させ、押出しピストン１６を上昇位置に復帰させるが、その後、ネイルガイド３０が閉状態となるとこれと同時にドアバルブ２２が上昇して、トリガバルブ２１及びドアバルブ２２を介して蓄圧室９と押出しピストン上室１７とが連通し押出しピストン上室１７に圧縮空気が流入してしまうために発生する。この際に、射出口１１近傍に被打込材等が位置していると被打込材等を傷付けてしまう恐れがあった。
なお、従来の打込機では、圧縮機が取外され、再度取付けられた際にも同様に押出しピストン１６が動作してしまうものであった。
【０００８】
本発明の目的は、上記欠点を解消し、押出しピストンが不意に動作して射出口内の止具を押出すことのない打込機を提供することである。
【０００９】
【課題を解決するための手段】
上記目的は、ドアバルブがネイルガイドが開状態であることを感知した際にオフ状態となり、起動バルブが操作されるまではオフ状態をロックし、オフ状態である時には押出しピストンと蓄圧室との連通を遮断する起動ピストンを設けることにより達成される。
【００１０】
【発明の実施の形態】
図１〜図５に本発明打込機の一実施形態を示す。なお、上記した従来の打込機と同一構造の部分には同様の符号を付したので以下説明を省略する。
図１において、１２はネイルガイド３０近傍に設けられネイルガイド３０内に装填された連結釘の先端の釘６を射出口１１内に順次供給するフィーダピストン、１３は圧縮空気が流入されるとフィーダピストン１２を射出口１１側に移動させるフィーダピストン上室、１４は戻り空気室１０と連通し、圧縮空気が流入されるとフィーダピストン１２を射出口１１から後退させるフィーダピストン下室、１６は射出口１１近傍にドライバブレード５の打込み方向に往復動可能に設けられ、上方に射出口１１内の釘６と係合可能な押出し部１６ａが設けられた押出しピストン、１７は圧縮空気が流入することにより押出しピストン１６を下降させる押出しピストン上室、１８は押出しピストン上室１７とフィーダピストン上室１３とを連通させる空気通路、１９は押出しピストン１６下方に設けられ、押出しピストン１６を上方に付勢するスプリング、２１は下降位置にある時には蓄圧室９と空気通路２７とを連通させ、上昇位置にある時には上方に設けられたＯリング２６と嵌合して蓄圧室９と空気通路２７との連通を遮断すると共に下方に大気と連通する空気通路２９を形成し空気通路２７と空気通路２９とを連通させるトリガバルブ、２２はネイルガイド３０の開閉状態を感知しネイルガイド３０が閉状態の時にはネイルガイド３０の一部と当接し上昇位置にあり、ネイルガイド３０が開状態の時には下降位置にあるドアバルブ、２３はトリガバルブ２１とドアバルブ２２との間に設けられた起動バルブ、２４は上下動可能に保持され、下降位置にある時にはヘッドバルブ上室４２と連通した空気通路４０と空気通路２７とを連通させると共に空気通路２７とフィーダピストン上室１３と連通した空気通路３５とを連通させ、上昇位置にある時には空気通路２７と空気通路４０との連通及び空気通路２７と空気通路３５との連通を遮断すると共に蓄圧室９と空気通路４０とを連通させる空気通路２８を形成する起動ピストン、３１は空気通路３２を介して蓄圧室９と連通しているドアバルブ上室、３３は圧縮空気が流入されると起動ピストン２４を上昇させる起動ピストン下室、３４は起動ピストン下室３３と連通し、ドアバルブ２２が下降位置にある時にドアバルブ上室３１と連通する空気通路、３６はドアバルブ２２が下降位置にある時に空気通路３５を大気に連通する空気通路、３７はドアバルブ２２を上方へ付勢するスプリング、３８は起動ピストン下室３３内に設けられ、起動ピストン２４を上方へ付勢するスプリング、３９は起動ピストン２４に設けられ、起動バルブ２２と嵌合するＯリングである。
【００１１】
以下、図１を初期状態として打込機の動作を説明する。
図１に示す打込機は、トリガバルブ２１及び起動バルブ２３の起動ピストン２４が下降位置にあり、ネイルガイド３０が閉状態で、これを感知したドアバルブ２２が上昇位置にある。このため、空気通路２７、空気通路４０を介して蓄圧室９とヘッドバルブ上室４２とが連通し、ヘッドバルブ７が下降位置にある。また、空気通路２７、空気通路３５を介してフィーダピストン上室１３と蓄圧室９とが連通しており、フィーダピストン１２は射出口１１側に移動して連結釘の先端の釘６を射出口１１内に送り込んだ位置にあると共にフィーダピストン上室１３と空気通路１８が連通して押出しピストン上室１７に圧縮空気が流入し押出しピストン１６が下降しその端部に設けられた押出し部１６ａが射出口１１内の釘６を射出口１１先端側に押出している。
【００１２】
上記した初期状態からトリガ２０を引き操作しトリガバルブ２１を上昇させると、図２に示すようにトリガバルブ２１上部とＯリング２６とが嵌合すると共にトリガバルブ２１下方に大気と連通する空気通路２９が形成され、ヘッドバルブ上室４２内の圧縮空気が空気通路４０、空気通路２７、空気通路２９を介して大気に放出される。これにより、ヘッドバルブ７が蓄圧室９内の圧縮空気により上昇し、蓄圧室９とシリンダ３内とが連通し、ピストン４及びドライバブレード５がシリンダ３内を急激に下降して、射出口１１内の釘６を打込む。また、トリガバルブ２１下方に大気と連通する空気通路２９が形成されると押出しピストン上室１７及びフィーダピストン上室１３内の圧縮空気が空気通路３５、空気通路２７、空気通路２９を介して大気に放出され、押出しピストン１６はスプリング１９の付勢力によって上昇する。ドライバブレード５が下降すると、空気通路４６を介して戻り空気室１０と連通したフィーダピストン下室１４に圧縮空気が供給されるので、フィーダピストン１２は射出口１１から後退する。
【００１３】
トリガ２０の引き操作が解除されると、図２に示す打込み状態から図１に示す初期状態に復帰し、押出しピストン１６が動作して射出口１１内の釘６を射出口１１先端側に押出す。
【００１４】
図３にネイルガイド３０が開状態となった時の打込機を示す。図３に示すようにネイルガイド３０が開状態となると、ドアバルブ２２がこれを感知し下降する。これにより空気通路３２と空気通路３４とが連通して起動ピストン下部室３３に圧縮空気が流れ込み、この圧縮空気により起動ピストン２４は図３に示すように上昇する。起動ピストン２４が上昇すると、起動バルブ２２と起動ピストン２４に設けられたＯリング３９との嵌合が外れるので起動ピストン下室３３と蓄圧室９とが連通すると共に空気通路２７と空気通路４０との連通が遮断され、空気通路４０と蓄圧室９とが起動ピストン２４上方に形成された空気通路２８により連通し、更に空気通路２７と空気通路３５との連通が遮断される。また、ドアバルブ２２が下降すると同時に空気通路３５がドアバルブ２２下方に形成された空気通路３６と連通するので、押出しピストン上室１７内の圧縮空気は大気に放出され押出しピストン１６はスプリング１９の付勢力により上昇する。
【００１５】
次にネイルガイド３０を閉状態とした打込機の状態を図４に示す。ネイルガイド３０が閉状態となると、これを感知してドアバルブ２２が上昇し、空気通路３４と蓄圧室９との連通は遮断されるが、起動ピストン２４が上昇しているために起動バルブ２３上部とＯリング３９とが嵌合されてなく、蓄圧室９と起動ピストン下室３３とが連通しているので起動ピストン２４は起動ピストン下室３３に流入される圧縮空気とスプリング３８により図４に示すように上昇位置を保つ。このため、押出しピストン上室１７に圧縮空気が流入されないので押出しピストン１６は上昇位置を保つ。
【００１６】
この状態で起動バルブ２３を引き操作し起動バルブ２３を上昇させると、起動バルブ２３上部と起動ピストン２４のＯリング３９とが嵌合し、これにより起動ピストン２４は蓄圧室９内の圧力により下降する。起動ピストン２４が下降すると空気通路２７と空気通路３５とが連通し、圧縮空気がフィーダピストン上室１３及び押出しピストン上室１７に流入するため、押出しピストン１６が動作し射出口１１先端に釘６を押出す。
【００１７】
このように、ネイルガイド３０が一度開状態となったならば起動ピストン２４が上昇位置を保ち起動バルブ２３を引き操作しない限り、起動ピストン２４が下降せず押出しピストン１６が動作しない構造となっているので、ネイルガイド３０の開閉操作により不意に押出しピストン１６が動作して釘６を射出口１１先端に押出してしまうという不具合を防止することができる。
【００１８】
また、図５に圧縮空気の供給源である圧縮機が取外された打込機の状態を示す。圧縮機が取外されると蓄圧室９内の圧力が低下するため、図５に示すように起動ピストン２４がスプリング３８により上昇すると共にドアバルブ２２がスプリング３７により上昇する。圧縮機が取付けられると、ネイルガイド３０を開閉させた時と同様に図５に示す状態となり、起動バルブ２３を操作しなければ押出しピストン１６が動作しないようになるので、不意に押出しピストン１６が動作してしまうという不具合を防止できる。
【００１９】
なお、本実施形態では起動ピストン２４が上昇位置にある時には、ヘッドバルブ上室４２と連通した空気通路４０と空気通路２７との連通を遮断し、空気通路４０と蓄圧室９とを空気通路２８を介して連通させるようにし、起動ピストン２４が上昇している時にはトリガバルブ２１を動作させたとしても打込みを行うことができない構造としたので、射出口１１内に釘６が供給されていない状態での打込み、すなわち空打ちを防止することができる。
【００２０】
【発明の効果】
本発明によれば、ドアバルブがネイルガイドが開状態であることを感知した際にオフ状態となり、外部から操作されるまではオフ状態をロックし、オフ状態である時には押出しピストン動作室と蓄圧室との連通を遮断する起動ピストンを設けた構成としたので、不意に押出しピストンが動作して射出口先端に釘を押出すことのない打込機を提供することができるようになる。
【図面の簡単な説明】
【図１】本発明打込機の一実施形態を示す一部省略断面図。
【図２】トリガが操作された打込機の状態を示す一部省略断面図。
【図３】ネイルガイドが開状態となった打込機の状態を示す一部省略断面図。
【図４】図３からネイルガイドが閉状態となった打込機の状態を示す一部省略断面図。
【図５】圧縮機が取外された打込機の状態を示す一部省略断面図。
【図６】従来の打込機の一例を示す要部拡大断面図。
【図７】従来の打込機の一例を示す要部拡大断面図。
【符号の説明】
１６は押出しピストン、１７は押出しピストン上室、２１はトリガバルブ、２２はドアバルブ、２３は起動バルブ、２４は起動ピストンである。
【図１】
0003641924.tif 000002
【図２】
0003641924.tif 000003
【図３】
0003641924.tif 000004
【図４】
0003641924.tif 000005
【図５】
0003641924.tif 000006
【図６】
0003641924.tif 000007
【図７】
0003641924.tif 000008